(57)【要約】【課題】  分極方向の異なる二枚の高分子圧電フィルムを貼り合わせて構成するバイモルフ型の振動板を備える圧電型スピーカーに関し、音声再生能力に優れ、ディスプレイ等の機器に取り付けるのに適する圧電型スピーカーを提供する。【解決手段】  バイモルフ型の振動板を備える圧電型スピーカーは、振動板が、一方向の断面において連続する波形状に成形される可動部と、可動部の両端に形成される固定部と、を有し、振動板の可動部が、固定部を含む基準平面からの高さの絶対値が隣り合う同士で異なる複数の曲面部と、曲面部を連結する平面を構成する複数の平面部と、を含み、平面部の一方面側に正電極を有し、平面部の他方面側に負電極を有し、それぞれの平面部の正電極および負電極の面積が、それぞれの平面部の断面長に応じて変化する。【選択図】  図１
2011135132.tif 000002
【特許請求の範囲】
【請求項１】
分極方向の異なる二枚の高分子圧電フィルムを貼り合わせて構成するバイモルフ型の振動板を備える圧電型スピーカーであって、
該振動板が、一方向の断面において連続する波形状に成形される可動部と、該可動部の両端に形成される固定部と、を有し、
該振動板の該可動部が、該固定部を含む基準平面からの高さの絶対値が隣り合う同士で異なる複数の曲面部と、該曲面部を連結する平面を構成する複数の平面部と、を含み、
該平面部の一方面側に正電極を有し、該平面部の他方面側に負電極を有し、該平面部のそれぞれの該正電極および該負電極の面積が、それぞれの該平面部の断面長に応じて変化する、
圧電型スピーカー。
【請求項２】
前記振動板の前記可動部のそれぞれの前記曲面部が、前記一方面側にさらに負電極を有し、前記他方面側にさらに正電極を有する、
請求項１に記載の圧電型スピーカー。
【請求項３】
分極方向の異なる二枚の高分子圧電フィルムを貼り合わせて構成するバイモルフ型の振動板を備える圧電型スピーカーであって、
該振動板が、一方向の断面において連続する波形状に成形される可動部と、該可動部の両端に形成される固定部と、を有し、
該振動板の該可動部が、該固定部を含む基準平面からの高さの絶対値が隣り合う同士で異なる複数の曲面部と、該曲面部を連結する平面を構成する複数の平面部と、を含み、
該平面部の一方面側および他方面側に正電極を有し、該平面部での該二枚の該高分子圧電フィルムを貼り合わせて形成される中間層に負電極を有し、該平面部のそれぞれの該正電極および該負電極の面積が、それぞれの該平面部の断面長に応じて変化する、
圧電型スピーカー。
【請求項４】
前記振動板の前記可動部のそれぞれの前記曲面部が、前記一方面側および前記他方面側にさらに負電極を有し、前記中間層にさらに正電極を有する、
請求項３に記載の圧電型スピーカー。
【請求項５】
前記振動板の前記可動部のそれぞれの前記平面部が、前記基準平面に対して斜めに交わるように傾斜する、
請求項１から４のいずれかに記載の圧電型スピーカー。
【請求項６】
前記基準平面から前記可動部の前記曲面部の高さの絶対値が、該可動部の中央部で最も大きく、該可動部から前記固定部に向かうにつれて順次小さくなる、
請求項１から５のいずれかに記載の圧電型スピーカー。
【請求項７】
前記振動板を構成する前記高分子圧電フィルムが、ポリフッ化ビニリデンのフィルム材であり、前記可動部が有する前記正電極および前記負電極が、金属ターゲットを用いて蒸着して形成されている、または、スパッタリングした金属薄膜で形成されている、または、金属粉を混入した導電塗料ないし透明高分子導電体をコーティングして形成されている、
請求項１から６のいずれかに記載の圧電型スピーカー。
【発明の詳細な説明】
【技術分野】
【０００１】
分極方向の異なる二枚の高分子圧電フィルムを貼り合わせて構成するバイモルフ型の振動板を備える圧電型スピーカーに関し、音声再生能力に優れ、ディスプレイ等の機器に取り付けるのに適する圧電型スピーカーに関する。
【背景技術】
【０００２】
音声を再生するスピーカーを取り付けるディスプレイ等の音響機器においては、スピーカーを取り付けるのに要する空間を小型化することが要望されている。それらの中には、ディスプレイの表示画面の前面側に透明視可能な振動板を配置するスピーカーが存在し、動電型スピーカーの他に、透明な高分子圧電フィルムを貼り合わせて振動板を構成する圧電型スピーカーがある。
【０００３】
特に、透明な高分子圧電フィルムがポリフッ化ビニリデンのフィルム材であり、その可動部に正電極および負電極が形成されている圧電型スピーカーでは、分極方向の異なる二枚の高分子圧電フィルムを貼り合わせて構成するバイモルフ型の振動板を備える圧電型スピーカーが提案されている。ただし、圧電型スピーカーは、再生能率が低くて音圧レベルが低くなりやすく、音圧周波数特性を平坦にすることが難しい、といった様々な理由から音声再生能力において不利な点がある。したがって、従来には、これらの問題を解決するために様々な圧電型スピーカーが提案されている。
【０００４】
従来には、分極処理された二枚の圧電フィルムを互いに貼着しアコーディオン・プリーツ状に折曲形成し、各折曲部及び壁部の少なくとも両面に電極を設け、それ等電極に信号電圧を印加することにより隣接する壁部を相反する方向に移動させるとともに、この壁部を壁部の移動方向に湾曲させるようにしたことを特徴とする圧電型スピーカーがある。（特許文献１）。
【０００５】
また、従来には、分極処理された二枚の圧電フィルムを貼着して構成されるバイモルフ振動板を、その断面形状が徐々に変化する波形になるように交互に折曲げ形成するとともに、この折曲げ部の表裏に信号電圧が印加される電極部を形成したことを特徴とする圧電型スピーカーがある（特許文献２）。特に、第４図には、高域専用スピーカーとして、バイモルフ振動板３１の波形状の周期が一定で、振幅が凸型の特性を呈するように形成されている圧電型スピーカーが開示されている。
【先行技術文献】
【特許文献】
【０００６】
【特許文献１】実開昭６０−５０５９６号公報（図５〜１４）
【特許文献２】特開昭６１−１５８３００号公報（図１〜３）
【０００７】
しかしながら、圧電型スピーカーにおいて、再生能率を高めて、かつ、音圧周波数特性を平坦にするには、従来の技術では十分でない。鉛直状の壁部を有するアコーディオン・プリーツ状の振動板の場合には、音圧周波数特性の平坦化が困難であり、また、圧電型スピーカーの薄型化も困難である。さらに、例えば、上記特許文献２の図４のような振動板形状を備える場合には、指向特性が改善するという利点があるものの、折曲げ部の表裏にのみ信号電圧が印加される電極部を有しているので、再生能率が低くて、十分な音圧レベルが得られない、という問題がある。さらに、また、折曲げ部の表裏に電極を設けると、圧電フィルムの透明性が低下するので、ディスプレイ装置に用いる圧電型スピーカーに適さなくなる、という問題がある。
【発明の概要】
【発明が解決しようとする課題】
【０００８】
本発明は、上記の従来技術が有する問題を解決するためになされたものであり、その目的は、分極方向の異なる二枚の高分子圧電フィルムを貼り合わせて構成するバイモルフ型の振動板を備える圧電型スピーカーに関し、音声再生能力に優れ、ディスプレイ等の機器に取り付けるのに適する圧電型スピーカーを提供することにある。
【課題を解決するための手段】
【０００９】
本発明の圧電型スピーカーは、分極方向の異なる二枚の高分子圧電フィルムを貼り合わせて構成するバイモルフ型の振動板を備える圧電型スピーカーであって、振動板が、一方向の断面において連続する波形状に成形される可動部と、可動部の両端に形成される固定部と、を有し、振動板の可動部が、固定部を含む基準平面からの高さの絶対値が隣り合う同士で異なる複数の曲面部と、曲面部を連結する平面を構成する複数の平面部と、を含み、平面部の一方面側に正電極を有し、平面部の他方面側に負電極を有し、平面部のそれぞれの正電極および負電極の面積が、それぞれの平面部の断面長に応じて変化する。
【００１０】
好ましくは、本発明の圧電型スピーカーは、振動板の可動部のそれぞれの曲面部が、一方面側にさらに負電極を有し、他方面側にさらに正電極を有する。
【００１１】
また、本発明の圧電型スピーカーは、分極方向の異なる二枚の高分子圧電フィルムを貼り合わせて構成するバイモルフ型の振動板を備える圧電型スピーカーであって、振動板が、一方向の断面において連続する波形状に成形される可動部と、可動部の両端に形成される固定部と、を有し、振動板の可動部が、固定部を含む基準平面からの高さの絶対値が隣り合う同士で異なる複数の曲面部と、曲面部を連結する平面を構成する複数の平面部と、を含み、平面部の一方面側および他方面側に正電極を有し、平面部での二枚の高分子圧電フィルムを貼り合わせて形成される中間層に負電極を有し、平面部のそれぞれの正電極および負電極の面積が、それぞれの平面部の断面長に応じて変化する。
【００１２】
また、本発明の圧電型スピーカーは、振動板の可動部のそれぞれの曲面部が、一方面側および他方面側にさらに負電極を有し、中間層にさらに正電極を有する。
【００１３】
また、本発明の圧電型スピーカーは、振動板の可動部のそれぞれの平面部が、基準平面に対して斜めに交わるように傾斜する。
【００１４】
また、本発明の圧電型スピーカーは、基準平面から可動部の曲面部の高さの絶対値が、可動部の中央部で最も大きく、可動部から固定部に向かうにつれて順次小さくなる。また、本発明の圧電型スピーカーは、可動部のそれぞれの平面部の断面長が、可動部の中央部で最も長く、可動部から固定部に向かうにつれて順次短くなる。
【００１５】
さらに好ましくは、本発明の圧電型スピーカーは、振動板を構成する高分子圧電フィルムが、ポリフッ化ビニリデンのフィルム材であり、可動部が有する正電極および負電極が、金属ターゲットを用いて蒸着して形成されている、または、スパッタリングした金属薄膜で形成されている、または、金属粉を混入した導電塗料ないし透明高分子導電体をコーティングして形成されている。
【００１６】
以下、本発明の作用について説明する。
【００１７】
本発明の圧電型スピーカーは、分極方向の異なる二枚の高分子圧電フィルムを貼り合わせて構成するバイモルフ型の振動板を備える圧電型スピーカーである。具体的には、振動板を構成する高分子圧電フィルムが、ポリフッ化ビニリデンのフィルム材であり、本発明の圧電型スピーカーの振動板は背面側が透明視できる。正電極および負電極は、平面部の一方面側および他方面側に少なくとも形成され、二枚の高分子圧電フィルムを貼り合わせて形成される中間層に形成されていてもよい。加えて、可動部が有する正電極および負電極が、金属ターゲットを用いて蒸着して形成されている、または、スパッタリングした金属薄膜で形成されている、または、金属粉を混入した導電塗料ないし透明高分子導電体をコーティングして形成されている場合には、振動板の透明性が低下しないので、本発明の圧電型スピーカーは、ディスプレイ装置に用いる圧電型スピーカーに適する。
【００１８】
圧電型スピーカーの振動板は、一方向の断面において連続する波形状に成形される可動部と、可動部の両端に形成される固定部と、を有する。振動板の可動部の波形状は、周期的に成形されて、固定部を仮想的に含む基準平面からの高さが隣り合う同士で異なる複数の曲面部と、曲面部の端部を連結する平面を構成する複数の平面部と、を含む。つまり、複数の曲面部は、基準平面からの高さを規定する断面の頂点を通過する稜線ならびに谷線をそれぞれ形成し、曲面部の高さが隣り合う同士で異なるように形成されている。好ましくは、圧電型スピーカーの振動板は、基準平面から可動部の曲面部の稜線ならびに谷線の高さの絶対値が、可動部の中央部で最も大きく（高く）、可動部から固定部に向かうにつれて順次小さく（低く）なるように形成される。
【００１９】
また、振動板の可動部のそれぞれの平面部が、基準平面に対して斜めに交わるように傾斜するように構成される。振動板の平面部は、振動板の曲面部の端部を連結する平面を構成し、その一方面側に正電極を有し、その他方面側に負電極を有する。平面部の一方面側および他方面側に正電極を有し、平面部での二枚の高分子圧電フィルムを貼り合わせて形成される中間層に負電極を有していてもよい。加えて、それぞれの平面部の正電極および負電極の面積が、一方向の断面において隣り合う同士で異なるそれぞれの平面部の断面長に応じて変化するように形成されている。可動部のそれぞれの平面部の断面長は、可動部の中央部で最も大きく、可動部から固定部に向かうにつれて順次短くなる。したがって、それぞれの平面部の正電極および負電極の面積が、一方向の断面において隣り合う同士で異なるそれぞれの平面部の断面長に応じて変化する。
【００２０】
本発明の圧電型スピーカーは、振動板の可動部のそれぞれの平面部の正電極および負電極の面積が、一方向の断面において隣り合う同士で異なるそれぞれの平面部の断面長に応じて変化するように形成されているので、作用する駆動力が変化して音圧周波数特性の平坦化を図ることができる。すなわち、平面部の正電極および負電極の面積が、一方向の断面において隣り合う同士で同面積である場合には、各平面部で発生する駆動力が一定になって平坦な音圧周波数特性が実現できないのに比較して、ピーク・ディップの少ない平坦な音圧周波数特性が実現でき、また、指向特性も改善できる。さらに、振動板の可動部のそれぞれの曲面部が、一方面側にさらに負電極を有し、他方面側にさらに正電極を有するように構成することで、再生能率の向上を図ることができる。
【００２１】
なお、本発明の圧電型スピーカーは、振動板の固定部を固定するフレームをさらに備えていても良い。さらに、正電極および負電極が接続される接続端子をフレームに備えていても良い。本発明の圧電型スピーカーは、ディスプレイ装置、あるいは、自動車等のスピードメーター等の表示器において、その前面側に設けるスピーカーに適用すると、表示画面と同じ方向から音波が放射されるので、画面と一致した使用者に良好な音声再生が可能になるという利点がある。
【発明の効果】
【００２２】
分極方向の異なる二枚の高分子圧電フィルムを貼り合わせて構成するバイモルフ型の振動板を備える圧電型スピーカーに関し、音声再生能力に優れ、ディスプレイ等の機器に取り付けるのに適する圧電型スピーカーを提供することができる。
【図面の簡単な説明】
【００２３】
【図１】本発明の好ましい実施形態による圧電型スピーカー１を説明する斜視図である。（実施例１）
【図２】本発明の好ましい実施形態による圧電型スピーカー１を構成するスピーカー振動板２を説明する斜視図である。（実施例１）
【図３】本発明の好ましい実施形態による圧電型スピーカー１を構成するスピーカー振動板２を説明する断面図である。（実施例１）
【図４】本発明の好ましい実施形態によるスピーカー振動板２の可動部２０を説明する一部拡大断面図である。（実施例１）
【図５】本発明の好ましい実施形態によるスピーカー振動板２の可動部２０の電極配置を説明する図である。（実施例１）
【図６】比較例の圧電型スピーカーを構成するスピーカー振動板の可動部４０の電極配置を説明する図である。（比較例１）
【図７】比較例の圧電型スピーカーを構成するスピーカー振動板５を説明する断面図である。（比較例２）
【図８】比較例の圧電型スピーカーを構成するスピーカー振動板の可動部６０の電極配置を説明する図である。（比較例３）
【図９】実施例及び比較例の圧電型スピーカーの軸上音圧周波数特性のグラフである。（実施例１、比較例１〜３）
【図１０】実施例及び比較例の圧電型スピーカーの指向特性を示す基準化音圧周波数特性のグラフである。（実施例１、比較例１〜３）
【発明を実施するための形態】
【００２４】
以下、本発明の好ましい実施形態による圧電型スピーカーについて説明するが、本発明はこれらの実施形態には限定されない。
【実施例１】
【００２５】
図１は、本発明の好ましい実施形態による圧電型スピーカー１を説明する斜視図である。また、図２は、圧電型スピーカー１を構成するスピーカー振動板２を説明する斜視図であり、図３は、スピーカー振動板２の長径方向のＡ−Ａ’断面図である。さらに、図４は、スピーカー振動板２の可動部２０を説明する一部拡大断面図であり、図５は、スピーカー振動板２の可動部２０における電極配置を説明する図である。なお、後述するように、圧電型スピーカー１の一部の構造や、内部構造等は、省略している。また、図２における点Ａ−Ａ’を結ぶ直線（長軸）が延びる方向が長径方向であり、また、点Ｂ−Ｂ’
を結ぶ直線（短軸）が延びる方向が短径方向である。
【００２６】
本実施例の圧電型スピーカー１は、長径方向長Ｌ１が約８３ｍｍ、短径方向長Ｌ２が約１０ｍｍの細長形の圧電型スピーカーであり、外形が略矩形のバイモルフ型のスピーカー振動板２を有する。バイモルフ型のスピーカー振動板２は、分極方向の異なる二枚の高分子圧電フィルムを貼り合わせて波形状に成形される振動板である。スピーカー振動板２は、長径方向の両端部でスピーカー振動板２を収容する略矩形状のフレーム３に固定されている。フレーム３の背面側には、音声信号電圧が供給される（図示しない）ターミナルが取り付けられている。圧電型スピーカー１では、後述するように、スピーカー振動板２の背面側が透明視できるので、ディスプレイ等のスピーカーを取り付ける幅が少ない機器が有する表示部の側面側などに取り付ける場合のみでなく、表示部の前面側に取り付けるのに適する。
【００２７】
バイモルフ型のスピーカー振動板２は、分極方向の異なる二枚の高分子圧電フィルムを接着剤で貼り合わせて構成する振動板であり、図示するように、長径方向の断面において周期的に連続する波形状が現れるように形成されている。具体的には、スピーカー振動板２を構成する高分子圧電フィルムは、一枚の厚みが約４０μｍのＰＶＤＦ（ポリフッ化ビニリデン）のフィルム材である。スピーカー振動板２では、ＰＶＤＦのフィルム材の表面および背面に正電極および負電極が、透明高分子導電体であるＰＥＤＯＴ（ポリエチレンジオキシチオフェン）をコーティングして厚み約２μｍのコーティング層として形成されている。スピーカー振動板２は、フラットなシート状態の一枚のＰＶＤＦフィルムの一方面にＰＥＤＯＴのコーティング層を形成し、これらを二枚用意し、所定の向きに調整した上でＰＥＤＯＴのコーティング層を形成していない面同士を対向させて熱硬化性の接着剤を間に挟んで合わせて、所定の金型に挟んで加熱して成形する。なお、本実施例の場合には、正負の両電極を保護する保護フィルムとして、透明な厚みが１６μｍのＰＥＴのフィルムを成形時に貼り合わせている。
【００２８】
スピーカー振動板２は、長径方向の断面において連続する波形状に成形される可動部２０と、可動部２０の両端に形成される固定部２１および２２と、を有する。固定部２１および２２は、フレーム３の（図示しない）取付部に形成される平面に固定される部分である。図２に図示するように、固定部２１および２２を仮想的に含む平面を基準平面Ｓとすると、波形状に成形される可動部２０は、基準平面Ｓからの高さｈｓの絶対値が隣り合う同士で異なる複数の曲面部２３または２５と、曲面部２３および２５の端部を連結する平面を構成する複数の平面部２４と、を含む。図示する曲面部２３は、スピーカー振動板２の前面側に出現する曲面部であり、前面視した場合に稜線を規定する曲面部である。一方、曲面部２５は、スピーカー振動板２の背面側に出現する曲面部であり、前面視した場合に谷線を規定する曲面部である。具体的には、それぞれの曲面部２３または２５は、断面の半径が０．５ｍｍの円弧から形成される半円筒状の曲面である。
【００２９】
複数の曲面部２３の基準平面Ｓからの高さｈｓは、長径方向に沿って約１ｍｍから４ｍｍの間で変化する。同様に、複数の曲面部２５の基準平面Ｓからの高さｈｓも、長径方向に沿ってその絶対値が約１ｍｍから４ｍｍの間で変化する。スピーカー振動板２の可動部２０は、その中央部で最も高く（つまり、基準平面Ｓからの高さｈｓの絶対値が大きく）、可動部２０から固定部２１に向かうにつれて順次低く（つまり、基準平面Ｓからの高さｈｓの絶対値が小さく）なるように形成される。長径方向の断面図において、複数の曲面部２３の頂点を通過して基準平面Ｓからの高さｈｓを規定する直線をｒａとし、複数の曲面部２５の頂点を通過して基準平面Ｓからの高さｈｓを規定する直線をｒｂとすると、直線ｒａおよびｒｂは、基準平面Ｓに対してほぼ線対称になる。
【００３０】
また、波形状に成形される可動部２０を構成するそれぞれの平面部２４は、基準平面Ｓに対して斜めに交わるように傾斜している。さらに、可動部２０は、その中央部で最も高くなるように形成されているので、それぞれの平面部２４は、長径方向の断面において隣り合う同士で異なる断面長を有し、中央側の平面部２４が固定部２１または２２に近い周辺側よりも長い断面長を有する。本実施例の場合には、可動部２０のそれぞれの平面部２４の断面長は、可動部２０の中央部で最も長く、可動部２０から固定部２１または２２に向かうにつれて順次短くなり、約０．７ｍｍ〜約７．１ｍｍの範囲で変化する。なお、平面部２４が基準平面Ｓに対して斜めに交わるとは、従来技術のアコーディオン・プリーツ状の圧電振動板において曲面部と曲面部とをつなぐ平面部が基準平面Ｓに対して直交するような場合を除き、平面部２４と基準平面Ｓとが９０度未満の角度で交わる場合をいう。好ましくは、平面部２４が基準平面Ｓと斜めに交わる角度は、本実施例のように約３度〜約３０度の範囲あればよく、約５度〜約２８度の範囲であってもよい。
【００３１】
図４の一部拡大断面図に示すように、バイモルフ型のスピーカー振動板２の可動部２０では、分極方向の異なる貼り合わされた二枚のＰＶＤＦの表面および背面に、正電極（２６ｐ、２７ｐ）および負電極（２６ｍ、２７ｍ）が配置されている。図５は、スピーカー振動板２の可動部２０の前面側の電極配置を説明する図であり、波形状に成形される可動部２０の長径方向の半分を基準平面Ｓに沿うように平面状に延ばした場合、つまり、スピーカー振動板２を成形する前のフラットなシート状態での電極配置の図である。具体的には、図５（ａ）は正電極２６ｐと負電極２７ｍとの相対的な位置関係を示し、図５（ｂ）は正電極２６ｐの形状を示し、図５（ｃ）は負電極２７ｍの形状を示す。なお、スピーカー振動板２の可動部２０の背面側の電極配置は、接続される信号線の位相が逆転して、正電極および負電極が入れ替わる関係になるので、可動部２０の背面側の電極配置において、図５（ｂ）は負電極２６ｍと同一の形状を示し、図５（ｃ）は正電極２７ｐと同一の形状を示す。正電極と負電極との間には、コーティング層が形成されない幅約０．２ｍｍ〜約０．５ｍｍの絶縁部２８が形成される。
【００３２】
例えば、図５（ｂ）に示すように、可動部２０の前面側の正電極２６ｐは、長径方向に沿って細長い略矩形状に形成される接続部２６１と、この接続部２６１から短径方向に櫛の歯状に突出するように形成される複数の駆動部２６２と、を有する。本実施例の場合には、それぞれの駆動部２６２の幅２６ｗは約０．９ｍｍである。隣り合う駆動部２６２同士が離間する距離は、可動部２０の断面形状に起因して中央側の平面部２４がより長い断面長を有するので、可動部２０の中央側に寄るほど長くなる。ただし、それぞれの曲面部２３または２５における正電極２６ｐまたは負電極２６ｍを構成する駆動部２６２の面積は、その幅２６ｗが一定であるのでいずれの駆動部２６２でも一定である。
【００３３】
また、図５（ｃ）に示すように、可動部２０の前面側の負電極２７ｍは、長径方向に沿って細長い略矩形状に形成される接続部２７１と、この接続部２７１から短径方向に櫛の歯状に突出するように形成される複数の駆動部２７２と、を有する。本実施例の場合には、それぞれの駆動部２７２の幅２７ｗは、可動部２０の断面形状に起因して中央側の平面部２４がより長い断面長を有するので、可動部２０の中央側に寄るほど長くなり、約０．８ｍｍ〜約７．１ｍｍの範囲で変化する。したがって、それぞれの平面部２４における正電極２７ｐまたは負電極２７ｍを構成する駆動部２７２の面積は、可動部２０の断面形状に起因して、中央側の平面部２４に近い方が、周辺側の固定部２１または２２に近い方よりも大きくなる。
【００３４】
スピーカー振動板２の可動部２０の前面側では、曲面部２３と曲面部２５のそれぞれに正電極２６ｐの駆動部２６２が配置され、平面部２４のそれぞれに負電極２７ｍの駆動部２７２が配置される。一方で、スピーカー振動板２の可動部２０の背面側では、曲面部２３と曲面部２５のそれぞれに負電極２６ｍの駆動部２６２が配置され、平面部２４のそれぞれに正電極２７ｐの駆動部２７２が配置される。つまり、スピーカー振動板２の可動部２０の曲面部２３および２５では、前面側に正電極２６ｐの駆動部２６２が配置され、背面側に負電極２６ｍの駆動部２６２が配置され、そして、スピーカー振動板２の可動部２０の平面部２４では、前面側に負電極２７ｍの駆動部２７２が配置され、背面側に正電極２７ｐの駆動部２７２が配置される。このように、スピーカー振動板２の可動部２０の電極配置は、頂点部分である曲面部２３および２５と、平面部２４とで正負電極が逆相の関係となる。
【００３５】
前述のターミナルに供給される音声信号電圧は、正電極２６ｐおよび負電極２６ｍの間と、正電極２７ｐおよび負電極２７ｍの間と、に印加される。例えば、ターミナルの正極端子と、正電極２６ｐおよび２７ｐとを接続し、ターミナルの負極端子と、負電極２６ｍおよび２７ｍとを接続すればよい。スピーカー振動板２の可動部２０は、ＰＶＤＦの一軸延伸フィルムを高電圧で分極処理して、これを所定の方向に二枚貼り合わせてバイモルフ型としたものであるから、前面側と背面側のＰＶＤＦフィルムの両方に音声信号電圧が加わる結果、延伸された長径方向に前面側と背面側とで逆相の関係を持って伸び縮みする。なお、上記の正電極と負電極の関係は、お互いに逆になってもよいことは、いうまでもない。
【００３６】
静電容量負荷となる圧電型スピーカー１では、静電容量Ｃの変化によりスピーカー振動板２の可動部２０の伸び縮みに作用する駆動力が変化する。例えば、可動部２０の平面部２４において、正電極２７ｐおよび負電極２７ｍの間に誘電体としてのＰＶＤＦのフィルムが挿入されているので、平面部２４での静電容量Ｃは、真空中の誘電率ε0（約８．８５４［ｐＦ／ｍ］）と、誘電体（ここでは、圧電フィルム）の比誘電率ε'（約１３）と、電極の面積ｓ（［ｍ２］）と、に比例し、電極間の距離ｄ（つまり、ＰＶＤＦフィルムの厚み［ｍ］）に反比例する。
【００３７】
したがって、それぞれの平面部２４における正電極または負電極を構成する駆動部２７２で作用する駆動力は、それぞれの電極の駆動部２７２で異なる面積を有することに起因して、中央側の平面部２４に近い方が、周辺側の固定部２１または２２に近い方よりも大きくなる。一方で、それぞれの曲面部２３および２５における正電極または負電極を構成する駆動部２６２で作用する駆動力は、それぞれの電極の駆動部２６２で面積が一定であることに起因して、いずれの曲面部２３および２５でもほぼ等しくなる。
【００３８】
さらに、スピーカー振動板２の可動部２０の電極配置は、上記の通り、曲面部２３および２５と、平面部２４とで逆相の関係となっているので伸び縮みに作用する駆動力も逆相の関係となり、例えば、曲面部２３および２５が伸びる場合には平面部２４が縮み、反対に曲面部２３および２５が縮む場合には平面部２４が伸びる、という関係を有する。その結果、スピーカー振動板２の可動部２０は、単なるＰＶＤＦシートを分極処理するような場合に比べて格段にその前後方向の振幅変位が大きくなるので、スピーカー振動板２を備える圧電型スピーカー１は、音波への変換効率が向上して再生能率の向上を図ることができる。
（比較例１）
【００３９】
図６は、比較例１としての（図示しない）スピーカー振動板４の可動部４０における電極配置を説明する図である。具体的には、図６は、比較例１の可動部４０の前面側の電極配置を説明する図であり、波形状に成形される可動部４０の長径方向の半分を基準平面Ｓに沿うように平面状に延ばした場合、つまり、スピーカー振動板４を成形する前のフラットなシート状態での電極配置の図である。比較例１のスピーカー振動板４は、中央部で基準平面Ｓからの高さｈｓが最も高くなる波形状に形成される可動部４０を有し、（図示しない）曲面部４３および４５と、（図示しない）平面部４４を含む。つまり、比較例１のスピーカー振動板４は、実施例１のスピーカー振動板２とほぼ同形状の振動板形状であり、可動部４０の平面部４４に形成される正電極４７ｐおよび負電極４７ｍの形状が実施例１の場合と異なる他は一致するので、重複する説明ならびに図示を省略する。
【００４０】
図６に示すように、可動部４０の前面側の正電極４６ｐは、実施例１における正電極２６ｐと同形状であり、長径方向に沿って細長い略矩形状に形成される接続部４６１と、この接続部４６１から短径方向に櫛の歯状に突出するように形成される複数の駆動部４６２と、を有する。ただし、それぞれの曲面部４３または４５における正電極４６ｐまたは負電極４６ｍを構成する駆動部４６２の面積は、その幅４６ｗが一定であるのでいずれの駆動部４６２でも一定である。なお、可動部４０の背面側の負電極４６ｍは、前面側の正電極４６ｐと同一の形状を示す。
【００４１】
また、可動部４０の前面側の負電極４７ｍは、長径方向に沿って細長い略矩形状に形成される接続部４７１と、この接続部４７１から短径方向に櫛の歯状に突出するように形成される複数の駆動部４７２と、を有する点で一致するものの、それぞれの駆動部４７２の幅４７ｗは、約０．８ｍｍで一定である。なお、可動部４０の背面側の正電極４７ｐは、前面側の負電極４７ｍと同一の形状を示す。したがって、それぞれの平面部４４における正電極４７ｐまたは負電極４７ｍを構成する駆動部４７２の面積は、その幅４７ｗが一定であるのでいずれの駆動部４７２でも一定である。
【００４２】
また、比較例１のスピーカー振動板４の可動部４０の曲面部４３および４５では、前面側に正電極４６ｐの駆動部４６２が配置され、背面側に負電極４６ｍの駆動部４６２が配置される。そして、平面部４４では、前面側に負電極４７ｍの駆動部４７２が配置され、背面側に正電極４７ｐの駆動部４７２が配置される。このように、スピーカー振動板４の可動部４０の電極配置は、頂点部分である曲面部４３および４５と、平面部４４とで正負電極が逆相の関係となる。したがって、曲面部４３および４５と、平面部４４とで、伸び縮みに作用する駆動力は逆相の関係となる。
【００４３】
したがって、それぞれの平面部４４における正電極または負電極を構成する駆動部４７２で作用する駆動力は、それぞれの電極の駆動部４７２が一定の面積であることに起因してほぼ一定である。平面部４４における駆動部４７２の面積は、実施例１の駆動部２７２の面積よりも減少するので、実質的に駆動力は減少する。一方で、それぞれの曲面部４３および４５における正電極または負電極を構成する駆動部４６２で作用する駆動力は、それぞれの電極の駆動部４６２が一定の面積であることに起因して、いずれの曲面部４３および４５でもほぼ等しくなる。その結果、スピーカー振動板４の可動部４０は、実施例１の場合に比べてその前後方向の振幅変位が小さくなるので、比較例１のスピーカー振動板４を備える圧電型スピーカーは、実施例１の圧電型スピーカー１よりも再生能率が低下する。
（比較例２）
【００４４】
図７は、比較例２としてのスピーカー振動板５の長径方向のＡ−Ａ’断面図である。比較例２のスピーカー振動板５は、固定部５１および５２を仮想的に含む基準平面Ｓからの高さｈｓがほぼ一定である波形状に形成される可動部５０を有し、可動部５０は、前面側の曲面部５３と、背面側の曲面部５５と、これらの曲面部を連結する平面部５４を含む。また、比較例２のスピーカー振動板５では、可動部５０の複数の曲面部５３の基準平面Ｓからの高さｈｓが、長径方向に沿って変化することなく一定である点で異なる他は、実施例１または比較例１のスピーカー振動板４とほぼ同様の構成を有するので、重複する説明ならびに図示を省略する。
【００４５】
比較例２のスピーカー振動板５では、複数の曲面部５３および５５の基準平面Ｓからの高さｈｓの絶対値が約４ｍｍでほぼ一定であるので、長径方向の断面図において、複数の曲面部５３ないし５５の頂点をそれぞれ通過する直線ｒａおよびｒｂは、基準平面Ｓに対して平行で、ほぼ線対称になる。また、それぞれの平面部５４は、基準平面Ｓに対して斜めに交わるように傾斜するものの、長径方向の断面において隣り合う同士でほぼ同一の断面長を有し、平面部５４が基準平面Ｓと斜めに交わる角度も、約５度でほぼ一定になる。
【００４６】
可動部５０に形成される（図示しない）正電極（５６ｐ、５７ｐ）および負電極（５６ｍ、５７ｍ）の形状は、図６に図示する先の比較例１の場合と同じである。したがって、可動部５０のそれぞれの曲面部５３または５５における（図示しない）正電極５６ｐまたは負電極５６ｍを構成する（図示しない）駆動部５６２の面積は、その（図示しない）幅５６ｗが一定であるのでいずれの駆動部５６２でも一定である。また、可動部５０のそれぞれの平面部５４における（図示しない）正電極５７ｐまたは負電極５７ｍを構成する（図示しない）駆動部５７２の面積は、その（図示しない）幅５７ｗが一定であるのでいずれの駆動部５７２でも一定である。
【００４７】
また、比較例２のスピーカー振動板５の可動部５０の曲面部５３および５５では、前面側に正電極５６ｐの駆動部５６２が配置され、背面側に負電極５６ｍの駆動部５６２が配置され、そして、平面部５４では、前面側に負電極５７ｍの駆動部５７２が配置され、背面側に正電極５７ｐの駆動部５７２が配置される。このように、スピーカー振動板５の可動部５０の電極配置は、頂点部分である曲面部５３および５５と、平面部５４とで正負電極が逆相の関係となる。したがって、曲面部５３および５５と、平面部５４とで、伸び縮みに作用する駆動力は逆相の関係となる。
【００４８】
したがって、それぞれの面積がほぼ一定な平面部５４における正電極５７ｐまたは負電極５７ｍを構成する駆動部５７２で作用する駆動力は、それぞれの電極の駆動部５７２が一定の面積であることに起因してほぼ一定である。平面部５４における駆動部５７２の面積は、実施例１の駆動部２７２の面積よりも減少するので、実質的に駆動力は減少する。一方で、それぞれの曲面部５３および５５における正電極または負電極を構成する駆動部５６２で作用する駆動力は、それぞれの電極の駆動部５６２が一定の面積であることに起因して、いずれの曲面部５３および５５でもほぼ等しくなる。その結果、スピーカー振動板５の可動部５０は、実施例１の場合に比べてその前後方向の振幅変位が小さくなるので、比較例２のスピーカー振動板５を備える圧電型スピーカーは、実施例１の圧電型スピーカー１よりも音圧周波数特性が乱れて、再生能率が低下する。
（比較例３）
【００４９】
図８は、比較例３としての（図示しない）スピーカー振動板６の可動部６０における電極配置を説明する図である。具体的には、図８は、比較例３の可動部６０の前面側の電極配置を説明する図であり、波形状に成形される可動部６０の長径方向の半分を基準平面Ｓに沿うように平面状に延ばした場合、つまり、スピーカー振動板６を成形する前のフラットなシート状態での電極配置の図である。比較例３のスピーカー振動板６は、中央部で基準平面Ｓからの高さｈｓが最も高くなる波形状に形成される可動部６０を有し、（図示しない）曲面部６３および６５と、（図示しない）平面部６４を含む。つまり、比較例３のスピーカー振動板６は、実施例１のスピーカー振動板２とほぼ同形状の振動板形状であり、可動部６０の平面部６４に正電極および負電極の駆動部を有しない点で実施例１の場合と異なる他は一致するので、重複する説明ならびに図示を省略する。なお、比較例３のスピーカー振動板６は、特許文献２の図４に記載の圧電スピーカーの振動板に相当する。
【００５０】
図８に示すように、可動部６０の前面側の正電極６６ｐは、実施例１における正電極２６ｐと同形状であり、長径方向に沿って細長い略矩形状に形成される接続部６６１と、この接続部６６１から短径方向に櫛の歯状に突出するように形成される複数の駆動部６６２と、を有する。ただし、それぞれの曲面部６３または６５における正電極６６ｐまたは負電極６６ｍを構成する駆動部６６２の面積は、その幅６６ｗが一定であるのでいずれの駆動部６６２でも一定である。また、比較例３のスピーカー振動板６の可動部６０の曲面部６３および６５では、前面側に正電極６６ｐの駆動部６６２が配置され、背面側に（図示しない）負電極６６ｍの駆動部６６２が配置される。なお、可動部６０の背面側の負電極６６ｍは、前面側の正電極６６ｐと同一の形状を示す。
【００５１】
一方で、比較例３のスピーカー振動板６の可動部６０の平面部６４では、前面側および背面側に電極の駆動部が配置されない。したがって、スピーカー振動板６の可動部６０の平面部６４には、駆動力が作用しない。また、それぞれの曲面部６３および６５における正電極６６ｐまたは負電極６６ｍを構成する駆動部６６２で作用する駆動力は、それぞれの電極の駆動部６６２が一定の面積であることに起因して、いずれの曲面部６３および６５でもほぼ等しくなる。その結果、スピーカー振動板６の可動部６０は、実施例１の場合に比べてその前後方向の振幅変位が小さくなり、比較例３のスピーカー振動板６を備える圧電型スピーカーは、実施例１の圧電型スピーカー１よりも再生能率が低下する。
【００５２】
図９は、実施例１、および、比較例１〜３のスピーカー振動板を備える圧電型スピーカーの軸上１ｍ換算した音圧周波数特性のグラフである。具体的には、図９において、（ａ）が実施例１のスピーカー振動板２を備える圧電型スピーカー１の場合であり、（ｂ）が比較例１のスピーカー振動板４を備える圧電型スピーカーの場合であり、（ｃ）が比較例２のスピーカー振動板５を備える圧電型スピーカーの場合であり、（ｄ）が比較例３のスピーカー振動板６を備える圧電型スピーカーの場合であって、それぞれを重ね書きしている。
【００５３】
実施例１の圧電型スピーカー１は、スピーカー振動板２の可動部２０のそれぞれの平面部２４の正電極２７ｐおよび負電極２７ｍの面積が、長径方向の断面において隣り合う同士で異なるそれぞれの平面部２４の断面長に応じて変化するように形成されているので、他の比較例１のスピーカー振動板４のような平面部４４の正電極４７ｐおよび負電極４７ｍの面積が一定の場合、あるいは、比較例２のスピーカー振動板５のような平面部５４の断面長が一定の場合、あるいは、比較例３のスピーカー振動板６のような平面部６４に正電極および負電極が設けられていない場合、とそれぞれ比較して、音圧周波数特性の平坦化を図ることができる。すなわち、平面部の正電極および負電極の面積が、一方向の断面において隣り合う同士で同面積である場合には、各平面部で発生する駆動力が一定になって平坦な音圧周波数特性が実現できないのに比較して、実施例１の圧電型スピーカー１は、他の比較例の場合よりも再生能率が高いので、音圧レベルが高く、ピーク・ディップの少ない平坦な音圧周波数特性が実現できる。
【００５４】
また、図１０は、実施例１、および、比較例１〜３の圧電型スピーカーにおいて、指向特性を示す基準化音圧周波数特性のグラフである。具体的には、０°軸上特性を基準特性として、３０°方向および６０°方向の差分特性を重ね書きしている。図１０（ａ）が実施例１のスピーカー振動板２を備える圧電型スピーカー１の場合であり、図１０（ｂ）が比較例１のスピーカー振動板４を備える圧電型スピーカーの場合であり、図１０（ｃ）が比較例２のスピーカー振動板５を備える圧電型スピーカーの場合であり、図１０（ｄ）が比較例３のスピーカー振動板６を備える圧電型スピーカーの場合である。
【００５５】
実施例１の圧電型スピーカー１は、スピーカー振動板２の可動部２０のそれぞれの平面部２４の正電極２７ｐおよび負電極２７ｍの面積が、長径方向の断面において隣り合う同士で異なるそれぞれの平面部２４の断面長に応じて変化するように形成されているので、３０°方向および６０°方向での指向特性が、他の比較例の場合よりも優れている。比較例２のスピーカー振動板５では、可動部５０の複数の曲面部５３の基準平面Ｓからの高さｈｓが、長径方向に沿って変化することなく一定であるので、スピーカー振動板の基本的な形状が異なる実施例１、比較例１および３よりも著しく劣る指向特性を示す。一方、実施例１、比較例１および３の場合には、図１０に示す基準化音圧周波数特性ではそれほど相違しないように表示されていても、図９に示す軸上音圧周波数特性が実施例１の場合に最も平坦であるので、実質的に実施例１の場合が最も好ましい指向特性を得ることができる。
【００５６】
なお、実施例１のスピーカー振動板２において、可動部２０の平面部２４では、長径方向の断面において隣り合う同士で断面長がそれぞれ異なり、その断面長に応じて平面部２４の正電極２７ｐおよび負電極２７ｍの面積が変化すればよい。すなわち、圧電型スピーカー１を実現するスピーカー振動板２は、基準平面Ｓから可動部２０の曲面部２３および２５の高さｈｓの絶対値が、可動部２０の中央部で最も大きく、可動部２０から固定部２１または２２に向かうにつれて順次小さくなる。したがって、可動部２０のそれぞれの平面部２４の断面長は、可動部２０の中央部で最も長く、可動部２０から固定部２１または２２に向かうにつれて順次短くなるので、可動部２０の平面部２４は、その断面長に応じた面積の電極を有していればよい。場合によっては、可動部２０の曲面部２３および２５に、正電極２６ｐおよび負電極２６ｍを設けなくてもよい。実施例１の圧電型スピーカー１ほど高い音圧レベルは実現できないものの、ピーク・ディップの少ない平坦な音圧周波数特性が実現できる。
【００５７】
また、実施例１のスピーカー振動板２では、ＰＶＤＦのフィルム材の表面および背面に正電極および負電極が、透明高分子導電体であるＰＥＤＯＴ（ポリエチレンジオキシチオフェン）をコーティングして形成されている。したがって、スピーカー振動板２の透明性が低下しないので、背面側がよく見えるという利点がある。また、スピーカー振動板２に形成する正電極および負電極は、金属ターゲットを用いて蒸着して形成されていてもよく、または、スパッタリングした金属薄膜で形成されていてもよく、金属粉を混入した導電塗料で正電極および負電極を形成する場合には、金属粉の粒径を小さくすることで透明性の低下を防止することができる。
【００５８】
実施例１の圧電型スピーカー１は、車両のスピードメーター等のディスプレイ装置の前面側に配置して用いる圧電型スピーカーに適し、表示画面と同じ方向から音波が放射されるので、視覚と一体感のある使用者に良好な音声再生が可能になるという利点がある。なお、実施例１の圧電型スピーカー１は、上記の長径方向長Ｌ１および短径方向長Ｌ２を有する細長形の圧電型スピーカーであるが、長径方向長Ｌ１と短径方向長Ｌ２とがほぼ等しい矩形であってもよい。
【実施例２】
【００５９】
本実施例の（図示しない）圧電型スピーカー１ａは、先の実施例１の圧電型スピーカー１とほぼ同じ構成、寸法の圧電型スピーカーであって、バイモルフ型のスピーカー振動板２に代えて、二枚のフィルム材の間の中間層にさらに電極を有するバイモルフ型の（図示しない）スピーカー振動板２ａを備える。つまり、先の実施例１のスピーカー振動板２では、その表面および背面に正電極および負電極が形成されており、この実施例２のスピーカー振動板２ａでは、その表面および背面に正電極が設けられ、加えて（図示しない）中間層に（図示しない）負電極が設けられている。この実施例２のスピーカー振動板２ａは、実施例１のスピーカー振動板２とほぼ同形状の振動板形状であり、電極配置が上記のように異なる点で実施例１の場合と異なる他は一致するので、重複する説明ならびに図示を省略する。
【００６０】
バイモルフ型のスピーカー振動板２ａは、分極方向の異なる二枚のＰＶＤＦ（ポリフッ化ビニリデン）のフィルム材を接着剤で貼り合わせて構成する振動板であり、長径方向の断面において連続する波形状が現れるように形成されている。スピーカー振動板２ａの形成工程では、それぞれのＰＶＤＦのフィルム材の表面および背面に正電極および負電極が、透明高分子導電体であるＰＥＤＯＴ（ポリエチレンジオキシチオフェン）をコーティングして厚み約２μｍのコーティング層として形成される。次に、フラットなシート状態の一枚のＰＶＤＦフィルムの表面および背面にＰＥＤＯＴのコーティング層を形成し、これらを二枚用意し、所定の向きに調整した上で同一形状のコーティング層を形成している面同士を対向させて、所定の金型に挟んで加熱して成形し、二枚の高分子圧電フィルムを貼り合わせた中間層に電極を形成する。
【００６１】
なお、中間層において電極を設けない部分に熱硬化性の接着剤を配置すれば、二枚の高分子圧電フィルムを貼り合わせることができる。また、上記の場合には二枚のＰＶＤＦのそれぞれ両面にコーティング層を形成したが、二枚の高分子圧電フィルムのうち、一枚の両面にコーティング層を形成し、もう一枚の高分子圧電フィルムのコーティング層を設けない表面を中間層になるように貼り合わせてもよい。この場合には、貼り合わせる両面同士を対向させて、熱硬化性の接着剤を間に挟んで合わせて、所定の金型に挟んで加熱して成形すればよい。
【００６２】
スピーカー振動板２ａは、長径方向の断面において連続する波形状に成形される可動部２０と、可動部２０の両端に形成される固定部２１および２２と、を有する。可動部２０は、曲面部２３および２５と、これらを連結する平面部２４を含む。その中央部で最も高くなる波状に形成される可動部２０を構成するそれぞれの平面部２４は、基準平面Ｓに対して斜めに交わるように傾斜し、さらに長径方向の断面において隣り合う同士で異なる断面長を有する。中央側の平面部２４の方が、固定部２１または２２に近い周辺側よりも長い断面長を有する。
【００６３】
バイモルフ型のスピーカー振動板２ａの可動部２０では、分極方向の異なる貼り合わされた二枚のＰＶＤＦの表面および背面と、中間層とに、正電極および負電極がそれぞれ配置されている。例えば、スピーカー振動板２ａは、可動部２０の曲面部２３および２５の表面側および背面側に負電極を有し、曲面部２３および２５での二枚の高分子圧電フィルムを貼り合わせて形成される中間層に正電極を有する。曲面部２３および２５に設けられる正電極および負電極の形状は、表面側、背面側、および、中間層のいずれでも先の実施例における図５（ｂ）に示す形状に一致する。
【００６４】
また、スピーカー振動板２ａは、可動部２０の平面部２４の表面側および背面側に正電極を有し、平面部２４での二枚の高分子圧電フィルムを貼り合わせて形成される中間層に負電極を有する。平面部２４に設けられる正電極および負電極の形状は、表面側、背面側、および、中間層のいずれでも先の実施例における図５（ｃ）に示す形状に一致する。したがって、スピーカー振動板２ａの可動部２０では、平面部２４のそれぞれの正電極および負電極の面積は、それぞれの平面部２４の断面長に応じて変化する。
【００６５】
つまり、スピーカー振動板２ａの可動部２０の曲面部２３および２５では、前面側および背面側に負電極の駆動部が配置され、中間層に正電極の駆動部が配置さる。そして、スピーカー振動板２の可動部２ａの平面部２４では、前面側および背面側に正電極の駆動部が配置され、中間層に負電極の駆動部が配置される。このように、スピーカー振動板２ａの可動部２０の電極配置は、頂点部分である曲面部２３および２５と、平面部２４とで正負電極が逆相の関係となる。スピーカー振動板２ａの可動部２０は、ＰＶＤＦの一軸延伸フィルムを高電圧で分極処理して、これを所定の方向に二枚貼り合わせてバイモルフ型としたものであるから、前面側と背面側のＰＶＤＦフィルムの両方に音声信号電圧が加わる結果、延伸された長径方向に前面側と背面側とで逆相の関係を持って伸び縮みする。
【００６６】
また、それぞれの平面部２４における正電極または負電極を構成する駆動部で作用する駆動力は、図５（ｃ）に示すようなそれぞれの電極の駆動部で異なる面積を有することに起因して、中央側の平面部２４に近い方が、周辺側の固定部２１または２２に近い方よりも大きくなる。一方で、それぞれの曲面部２３および２５における正電極または負電極を構成する駆動部で作用する駆動力は、図５（ｂ）に示すようなそれぞれの電極の駆動部で面積が一定であることに起因して、いずれの曲面部２３および２５でもほぼ等しくなる。
【００６７】
さらに、スピーカー振動板２ａの可動部２０の電極配置は、上記の通り、曲面部２３および２５と、平面部２４とで逆相の関係となっているので伸び縮みに作用する駆動力も逆相の関係となり、例えば、曲面部２３および２５が伸びる場合には平面部２４が縮み、反対に曲面部２３および２５が縮む場合には平面部２４が伸びる、という関係を有する。その結果、スピーカー振動板２ａの可動部２０は、単なるＰＶＤＦシートを分極処理するような場合に比べて格段にその前後方向の振幅変位が大きくなるので、スピーカー振動板２ａを備える圧電型スピーカー１ａは、音波への変換効率が向上してさらに再生能率の向上を図ることができる。
【産業上の利用可能性】
【００６８】
本発明の圧電型スピーカーは、車両のスピードメーター等のディスプレイ装置の前面側に配置して用いる圧電型スピーカーとしてのみならず、ディスプレイ等の映像・音響機器に内蔵するスピーカー、あるいは、音声を再生するスピーカーを内蔵するキャビネットを有するゲーム機、スロットマシン等の遊戯機にも適用が可能である。
【符号の説明】
【００６９】
１          圧電型スピーカー
２          スピーカー振動板
２０        可動部
２１、２２  固定部
２３、２５  曲面部
２４        平面部
２６、２７  電極
２８        絶縁部
３          フレーム
４０        スピーカー振動板の可動部
５          スピーカー振動板
６０        スピーカー振動板の可動部
【図１】
2011135132.tif 000003
【図２】
2011135132.tif 000004
【図３】
2011135132.tif 000005
【図４】
2011135132.tif 000006
【図５】
2011135132.tif 000007
【図６】
2011135132.tif 000008
【図７】
2011135132.tif 000009
【図８】
2011135132.tif 000010
【図９】
2011135132.tif 000011
【図１０】
2011135132.tif 000012